(57)【特許請求の範囲】
【請求項１】
便鉢部を有する便器本体と、
給水圧力を有する給水源に連通し、前記便鉢部に洗浄水を供給する給水路と、
この給水路を開閉する電気駆動式開閉装置とを備えた水洗式便器であって、
前記給水路を前記便器本体の輪郭内で分岐した分岐部と、
この分岐部に接続し、前記便器本体の輪郭内に収納したホースとを備えていることを特徴とする水洗式便器。
【請求項２】
前記分岐部は前記電気駆動式開閉装置より上流側の前記給水路を分岐していることを特徴とする請求項１記載の水洗式便器。
【請求項３】
前記ホースは先端部に止水栓を設けていることを特徴とする請求項１又は２記載の水洗式便器。
【請求項４】
前記ホースは先端部にフックを設けていることを特徴とする請求項１乃至３のいずれか１項記載の水洗式便器。
【請求項５】
前記便器本体は着脱自在な側面部を有しており、この側面部は内面側に設けた水を貯留することができる容器を有していることを特徴とする請求項１乃至４のいずれか１項記載の水洗式便器。
【請求項６】
前記便器本体は着脱自在な側面部を有しており、この側面部は内面側に設けた前記ホースを係止する係止具を有していることを特徴とする請求項１乃至５のいずれか１項記載の水洗式便器。
【発明の詳細な説明】
【技術分野】
【０００１】
本発明は水洗式便器に関する。
【背景技術】
【０００２】
特許文献１は従来の水洗式便器を開示している。この水洗式便器は、便鉢部を有する便器本体と、給水圧力を有する給水源に連通し、便鉢部に洗浄水を供給する給水路と、給水路を開閉する電気駆動式開閉装置とを備えている。電気駆動式開閉装置は手動で給水路を開閉することができるハンドルを有している。
【０００３】
この水洗式便器は、停電等によって電気駆動式開閉装置が電気駆動することができない場合、ハンドルを操作して給水路を開閉することができる。これによって、便鉢部に洗浄水を供給し、便鉢部内の汚物等を便器本体外へ排出することができる。
【先行技術文献】
【特許文献】
【０００４】
【特許文献１】特開２００１−１０７４３９号公報
【発明の概要】
【発明が解決しようとする課題】
【０００５】
しかし、特許文献１の水洗式便器は、電気駆動式開閉装置に手動で給水路を開閉することができるハンドルを設けているため、電気駆動式開閉装置の構造が複雑で特殊なものになっている。
【０００６】
本発明は、上記従来の実情に鑑みてなされたものであって、簡易な構造で非常時に便鉢部内の汚物等を便器本体外へ排出することができる水洗式便器を提供することを解決すべき課題としている。
【課題を解決するための手段】
【０００７】
本発明の水洗式便器は、便鉢部を有する便器本体と、
給水圧力を有する給水源に連通し、前記便鉢部に洗浄水を供給する給水路と、
この給水路を開閉する電気駆動式開閉装置とを備えた水洗式便器であって、
前記給水路を前記便器本体の輪郭内で分岐した分岐部と、
この分岐部に接続し、前記便器本体の輪郭内に収納したホースとを備えていることを特徴とする。
【０００８】
この水洗式便器は、停電時等において電気駆動式開閉装置が電気駆動することができない場合、給水路を分岐した分岐部に接続したホースを利用して、バケツ等に水を給水することができる。そして、バケツに溜めた水を便鉢部に空けることによって、便鉢部内の汚物等を便器本体外へ排出することができる。
【０００９】
したがって、本発明の水洗式便器は簡易な構造で非常時に便鉢部内の汚物等を便器本体外へ排出することができる。
【００１０】
また、この水洗式便器は、分岐部を便器本体の輪郭内に設けており、ホースを常時、便器本体の輪郭内に収納することができる。このため、この水洗式便器は、常時は外観をすっきりしたものにすることができる。さらに、この水洗式便器を備えたトイレルームでは、ホースがトイレルーム内に露出した状態で放置されず、整理整頓した状態を保つことができる。
【００１１】
前記分岐部は前記電気駆動式開閉装置より上流側の前記給水路を分岐し得る。この場合、分岐部を電気駆動式開閉装置より上流側の給水路に設けることによって、簡易な構造で給水路を分岐することができる。
【００１２】
前記ホースは先端部に止水栓を設け得る。この場合、ホースからバケツに水を給水する際、止水栓を手元で操作することができるため、吐水及び止水を容易に行うことができる。
【００１３】
前記ホースは先端部にフックを設け得る。この場合、フックをバケツの縁等に係止することによって、ホースからバケツ内に容易に給水することができる。
【００１４】
前記便器本体は着脱自在な側面部を有しており、この側面部は内面側に設けた水を貯留することができる容器を有し得る。この場合、側面部を取り外してホースから容器内に給水することができる。このため、バケツ等を別に用意する必要がなく、容器に溜めた水を便器本体の便鉢部に空けて、便鉢部内の汚物等を便器本体外へ排出することができる。
【００１５】
前記便器本体は着脱自在な側面部を有しており、この側面部は内面側に前記ホースを係止する係止具を有し得る。この場合、ホースを係止具に係止することによって、便器本体の輪郭内にホースを容易に収納することができる。また、側面部を取り外すことによって、ホースが一緒に外部に引き出されるため、ホースを容易に引き出すことができる。
【図面の簡単な説明】
【００１６】
【図１】実施例１の水洗式便器を示す概念図である。
【図２】実施例１の水洗式便器において、ホースを収納した状態を示す概略図である。
【図３】実施例１の分岐部を形成する接続管を示す正面図である。
【図４】実施例２の容器を示す概略図である。
【図５】実施例２の他の容器の形態を示す概略図である。
【発明を実施するための形態】
【００１７】
本発明の水洗式便器を具体化した実施例１及び２について、図面を参照しつつ説明する。
【００１８】
＜実施例１＞
実施例１の水洗式便器は、図１〜図３に示すように、便器本体１０、給水路２０、電気駆動式開閉装置３０、及びホース４０を備えている。便器本体１０は、便鉢部１１と、便鉢部１１の下流側に連続して設けられた図示しない便器排水路と、便鉢部１１の上端開口の周縁部から下方に延びた側面部１２と、便鉢部１１の上方に配置した便座装置１３とを有している。
【００１９】
便器本体１０は、便鉢部１１と便器排水路とによって封水部を形成しており、洗浄水を貯留して水封を形成する。水洗式便器は、便鉢部１１に洗浄水を供給することによって、汚物等を便鉢部１１内から便器排水路を介して便器本体１０外へ排出する。
【００２０】
側面部１２は、便器本体１０の前端部から左右後方に向けて延びた第１側面部１２Ａと、第１側面部１２Ａの左右後端の夫々より後方に設けられた第２側面部１２Ｂとを有している。第１側面部１２Ａは便鉢部１１と一体に形成されている。第２側面部１２Ｂは、第１側面部１２Ａとは別体に形成されており、便器本体１０の左右後部側面から着脱自在である（図４参照）。
【００２１】
便座装置１３は、便座１３Ａ、便蓋１３Ｂ、及びこれらを回動自在に軸支し、便器本体１０の後方上部に配置した便座ボックス１３Ｃを有している。便座ボックス１３Ｃは、電気駆動式開閉装置３０の一部分や局部洗浄装置１４等を収納している。
【００２２】
給水路２０は水洗式便器を設置したトイレルームに引き出された給水管５０に接続した第１止水栓５１と便器本体１０の便鉢部１１とを連通している。つまり、給水路２０は、第１止水栓５１と電気駆動式開閉装置３０とを連通する柔軟性を有する一次側給水管２１、電気駆動式開閉装置３０内の内部給水路、及び電気駆動式開閉装置３０と便鉢部１１とを連通する二次側給水管２２とから形成されている。給水管５０は上流端を給水圧力を有する給水源に連通している。
【００２３】
電気駆動式開閉装置３０は内部給水路を開閉する電気駆動式ダイヤフラム弁を有している。電気駆動式開閉装置３０は電気駆動式ダイヤフラム弁より上流側の内部給水路を分岐した分岐給水路を有している。分岐給水路は局部洗浄用給水管２３を介して局部洗浄装置１４に連通している。
【００２４】
水洗式便器は便器本体１０の輪郭内で一次側給水管２１を分岐した分岐部２５を備えている。一次側給水管２１は下流端部に電気駆動式開閉装置３０の下流端部に接続する接続管２６（図３参照）を有している。分岐部２５は接続管２６に設けられている。つまり、分岐部２５は電気駆動式開閉装置３０より上流側の一次側給水管２１を分岐している。接続管２６は、一次側給水管２１の下流端部に接続する流入口２６Ａと、電気駆動式開閉装置３０の内部給水路の上流端部に接続する第１流出口２６Ｂと、ホース４０の上流端部に接続する第２流出口２６Ｃとを有している。このように、給水路２０を簡易な構造で分岐することができる。
【００２５】
ホース４０は上流端部を接続管２６の第２流出口２６Ｃに接続している。このホース４０は、図２に示すように、柔軟性を有しており、便器本体１０の一方の第２側面部１２Ｂの内面側に設けた係止具１５に複数回巻かれた状態で係止され、便器本体１０の輪郭内に収納されている。このように、この水洗式便器は、一方の第２側面部１２Ｂを便器本体１０の後部側面に取り付けることによって、ホース４０を便器本体１０の輪郭内に容易に収納することができる。
【００２６】
係止具１５は、棒状部材を折り曲げて形成されており、一方の第２側面部１２Ｂの内面に固定した固定部１５Ａと、固定部１５Ａの下端から内側水平方向に延びる水平部１５Ｂと、水平部１５Ｂの先端から上方に延びる垂直部１５Ｃとを有している。また、係止具１５は後述するホース４０のフック４２を係止する鉤部１６を有している。鉤部１６は、固定部１５Ａの上部に連結しており、一方の第２側面部１２Ｂの内側面との間に隙間を設けて上方に延びている。
【００２７】
ホース４０は先端部に第２止水栓４１とフック４２とを設けている。第２止水栓４１は、吐水口を具備した本体部４１Ａと、本体部４１Ａ内に設けた止水弁と、本体部４１Ａから突出し、止水弁を開閉するレバー部４１Ｂとを有している。第２止水栓４１は、本体部４１Ａを握りながらレバー部４１Ｂを押し下げることができ、レバー部４１Ｂが押し下げられると、止水弁が開弁し、吐水口から水を吐水する。レバー部４１Ｂは押し下げた状態にロックすることができる。
【００２８】
このような構成を有する水洗式便器は、非停電時において、図示しない便器洗浄ボタン等を操作することによって、電気駆動式開閉装置３０に電気が通電され、電気駆動式ダイヤフラム弁が開閉する。これによって、水洗式便器は、便鉢部１１に洗浄水が供給され、汚物等を便鉢部１１内から便器排水路を介して便器本体１０外へ排出することができる。
【００２９】
また、この水洗式便器は、停電時等において電気駆動式開閉装置３０が電気駆動することができない場合、図２に示すように、バケツ１に水を給水し、その水を便鉢部１１に空けることによって、便鉢部１１内の汚物等を便器本体１０外へ排出することができる。
【００３０】
バケツ１に水を給水する際には、先ず、便器本体１０の後部側面から一方の第２側面部１２Ｂを取り外す。すると、第２側面部１２Ｂの内面側の係止具１５に係止されたホース４０が外部に引き出される。このように、この水洗式便器は便器本体１０の輪郭内に収納したホース４０を容易に引き出すことができる。
【００３１】
引き出したホース４０の先端部のフック４２をバケツ１の縁に係止し、第２止水栓４１のレバー部４１Ｂを押し下げてロックする。このようにして、第２止水栓４１の止水弁を開弁して本体部４１Ａの吐水口から水を吐水し、バケツ１に水を給水することができる。バケツ１に水を充分に給水した後、レバー部４１Ｂのロックを解除して第２止水栓４１の止水弁を閉弁し、バケツ１への給水を終了する。このように、ホース４０の先端部に第２止水栓４１を設けているため、第２止水栓４１を手元で操作することができ、吐水及び止水を容易に行うことができる。また、ホース４０の先端部のフック４２をバケツ１に係止して給水することができるため、ホース４０からバケツ１内に容易に給水することができる。
【００３２】
そして、バケツ１に溜めた水を便鉢部１１に空けることによって、便鉢部１１内の汚物等を便器本体１０外へ排出することができる。
【００３３】
したがって、実施例１の水洗式便器は簡易な構造で非常時に便鉢部１１内の汚物等を便器本体１０外へ排出することができる。
【００３４】
また、この水洗式便器は、分岐部２５を便器本体１０の輪郭内に設けており、ホース４０を常時、便器本体１０の輪郭内に収納することができる。このため、この水洗式便器は、常時は外観をすっきりしたものにすることができる。さらに、この水洗式便器を備えたトイレルームでは、ホース４０がトイレルーム内に露出した状態で放置されず、整理整頓した状態を保つことができる。
【００３５】
＜実施例２＞
実施例２の水洗式便器は、図４に示すように、便器本体１０の他方の第２側面部１２Ｂの内面側に水を貯留することができる容器１７を設けている。他の構成は実施例１と同様であり、同一の構成は同一の符号を付し詳細な説明を省略する。
【００３６】
容器１７は、他方の第２側面部１２Ｂの内面に一体に形成されており、上方が開口した直方体形状である。他方の第２側面部１２Ｂの内面側に容器１７を設けているため、この第２側面部１２Ｂを取り外した状態で容器１７内にホース４０から給水することができる。このため、バケツ等を別に用意する必要がなく、容器１７に溜めた水を便器本体１０の便鉢部１１に空けることによって、便鉢部１１内の汚物等を便器本体１０外へ排出することができる。
【００３７】
また、他方の第２側面部１２Ｂの内面に、図５に示すように、蛇腹形状の左右側面１９及び底面を有する容器１８を一体に形成してもよい。この場合、他方の第２側面部１２Ｂを便器本体１０の後部側面に取り付ける際、蛇腹形状の左右側面１９及び底面を折りたたむことができる。このため、便器本体１０の輪郭内に容器１８を容易に収納することができる。また、他方の第２側面部１２Ｂを便器本体１０の後部側面から取り外して、容器１８の蛇腹形状の左右側面１９及び底面を引き延ばすことによって、容器１８内に充分な水量の水をためることができる。
【００３８】
本発明は上記記述及び図面によって説明した実施例に限定されるものではなく、例えば次のような実施例も本発明の技術的範囲に含まれる。
（１）実施例１及び２では、分岐部は一次側給水管を分岐して形成されているが、電気駆動式開閉装置の内部給水路を分岐した形成してもよい。
（２）実施例１及び２では、ホースの先端部に止水栓を設けていたが、ホースの先端部に止水栓を設けず、分岐部に設けてもよい。
（３）実施例１及び２では、ホースの先端部にフックを設けているが、フックを設けなくてもよい。
（４）実施例１及び２では、着脱自在な側面部を有していたが、着脱自在な側面部を有さず、ホースや容器が収納できる凹所を設けているのみでもよい。
（５）実施例１及び２では、電気駆動式開閉装置が電気駆動することができない場合に、ホースからバケツ等に水を給水し、その水を便鉢部に空けて便鉢部内の汚物等を便器本体外へ排出することに利用したが、電気駆動式開閉装置が電気駆動することができる場合でも、水洗式便器を掃除するためにホースからバケツ等に水を給水することに利用してもよい。
【符号の説明】
【００３９】
１０…便器本体
１１…便鉢部
１２Ｂ…第２側面部（側面部）
１５…係止具
２０…給水路
２５…分岐部
３０…電気駆動式開閉装置
４０…ホース
４１…第２止水栓（止水栓）
４２…フック
１７、１８…容器
【図１】
0005748344.tif 000002
【図２】
0005748344.tif 000003
【図３】
0005748344.tif 000004
【図４】
0005748344.tif 000005
【図５】
0005748344.tif 000006